(57)【要約】【課題】ルーバ取付部材の締付作業を容易に行えるようにした電気機器収納箱用換気装置を提供する。【解決手段】キャビネットの円形の換気口の外側に配置されたルーバ３と、このルーバ３をキャビネットの内側から固定するルーバ取付部材６とを備えた電気機器収納箱用換気装置である。キャビネットとルーバ取付部材との間にファンを取付ける取付部材７を介在させ、この取付部材７の一方の対角位置のみにファン取付部１２を形成した。ルーバ取付部材を手で締め付けるときに手がファン取付部に当たりにくくなり、容易にルーバ取付部材の締付け作業を行うことができる。【選択図】図３
2015222749.tif 000002
【特許請求の範囲】
【請求項１】
キャビネットの円形の換気口の外側に配置されたルーバと、このルーバをキャビネットの内側から固定するルーバ取付部材とを備えた電気機器収納箱用換気装置において、前記キャビネットとルーバ取付部材との間にファンを取付ける取付部材を介在させ、この取付部材の一方の対角位置のみにファン取付部を形成したことを特徴とする電気機器収納箱用換気装置。
【請求項２】
前記ファン取付部が、前記取付部材の平板部よりもキャビネットの内側位置に形成されたネジ止め用座部であることを特徴とする請求項１記載の電気機器収納箱用換気装置。
【請求項３】
前記ファンとルーバとの間からキャビネット内への風抜けを防止する風抜防止部材を前記ファンと取付部材との間に設け、その先端をキャビネットの壁面に当接させたことを特徴とする請求項２記載の電気機器収納箱用換気装置。
【請求項４】
前記風抜防止部材は、前記風抜防止部材を前記ファンとともに前記取付部材に取付ける貫通孔を、前記取付部材のネジ止め用座部に対応させて一方の対角位置に形成し、前記ファンを前記風抜防止部材に取付けるネジ孔を他方の対角位置に形成したものであることを特徴とする請求項３記載の電気機器収納箱用換気装置。
【請求項５】
前記ネジ止め用座部は略コ字状に形成して前記平板部とネジ止め面の間に空間を形成し、前記ネジ止め面を前記ルーバ取付部材よりもキャビネット内側の位置に形成したことを特徴とする請求項４記載の電気機器収納箱用換気装置。
【請求項６】
前記取付部材と風抜防止部材を共に長方形に形成し、嵌め合せたことを特徴とする請求項５記載の電気機器収納箱用換気装置。
【発明の詳細な説明】
【技術分野】
【０００１】
本発明は、ルーバとファンとを備えた電気機器収納箱用換気装置に関するものである。
【背景技術】
【０００２】
電気機器収納箱用換気装置としては、キャビネットの換気口の外側にルーバを配置した構造が広く使用されている。キャビネットの換気口が円形の場合、ルーバに一体成形された筒状部を換気口を通じてキャビネットの内側に突出させ、その外周面に形成されたオネジにナット状のルーバ取付部材を螺合させてルーバを固定する構造が普通である。
【０００３】
またルーバに後付けでファンを取付けるために、特許文献１に示されるように、キャビネットとルーバ取付部材との間にファンを取付ける取付部材を挟持させる構造がある。この取付部材の四隅にはファンを取付けるためのビス止め座部が形成されている。
【０００４】
しかし特許文献１のような構造であると、ルーバ取付部材とビス止め座部との距離が近いことや、ビス止め座部の相互間の間隔が狭いことにより、ルーバ取付部材を手で回転させて締め付けようとしたときに手がビス止め座部に当たってしまい、締付作業性が悪くなるという問題があった。
【先行技術文献】
【特許文献】
【０００５】
【特許文献１】実開平６−３１１９６号公報
【発明の概要】
【発明が解決しようとする課題】
【０００６】
従って本発明の目的は上記した従来の問題点を解決し、ルーバ取付部材の締付作業を容易に行えるようにした電気機器収納箱用換気装置を提供することである。
【課題を解決するための手段】
【０００７】
上記の課題を解決するためになされた本発明は、キャビネットの円形の換気口の外側に配置されたルーバと、このルーバをキャビネットの内側から固定するルーバ取付部材とを備えた電気機器収納箱用換気装置において、前記キャビネットとルーバ取付部材との間にファンを取付ける取付部材を介在させ、この取付部材の一方の対角位置のみにファン取付部を形成したことを特徴とするものである。
【０００８】
請求項２の発明は請求項１の発明において、前記ファン取付部が、前記取付部材の平板部よりもキャビネットの内側位置に形成されたネジ止め用座部であることを特徴とするものである。
【０００９】
請求項３の発明は請求項２の発明において、前記ファンとルーバとの間からキャビネット内への風抜けを防止する風抜防止部材を前記ファンと取付部材との間に設け、その先端をキャビネットの壁面に当接させたことを特徴とするものである。
【００１０】
請求項４の発明は請求項３の発明において、前記風抜防止部材は、前記風抜防止部材を前記ファンとともに前記取付部材に取付ける貫通孔を、前記取付部材のネジ止め用座部に対応させて一方の対角位置に形成し、前記ファンを前記風抜防止部材に取付けるネジ孔を他方の対角位置に形成したものであることを特徴とするものである。
【００１１】
請求項５の発明は請求項４の発明において、前記ネジ止め用座部は略コ字状に形成して前記平板部とネジ止め面の間に空間を形成し、前記ネジ止め面を前記ルーバ取付部材よりもキャビネット内側の位置に形成したことを特徴とするものである。
【００１２】
請求項６の発明は請求項５の発明において、前記取付部材と風抜防止部材を共に長方形に形成し、嵌め合せたことを特徴とするものである。
【発明の効果】
【００１３】
本発明によれば、キャビネットとルーバ取付部材との間に介在させた取付部材の一方の対角位置のみにファン取付部を形成したので、ルーバ取付部材を手で締め付けるときに手がファン取付部に当たりにくくなり、容易にルーバ取付部材の締付け作業を行うことができる。
【００１４】
請求項２の発明によれば、ファン取付部が取付部材の平板部よりもキャビネットの内側位置に形成されたネジ止め用座部であるので、取付部材の平板部を貫通させることなく、ファンを取付部材に取付けることができる。
【００１５】
請求項３の発明によれば、風抜防止部材をファンと取付部材との間に設け、その先端をキャビネットの壁面に当接させたので、ファンからの排気がキャビネット内部へ抜けることを防止できる。
【００１６】
請求項４の発明によれば、ファンを風抜防止部材に取付けた状態で取付部材に取付けることができるので、施工性が良くなる。
【００１７】
請求項５の発明によれば、ネジ止め用座部をルーバ取付部材よりもキャビネット内側の位置に形成したので、ネジ止め用座部とルーバ取付部材との干渉が生ずることがない。
【００１８】
請求項６の発明によれば、取付部材と風抜防止部材を共に長方形に形成して嵌め合せる構造としたので、風抜防止部材の向きを間違えることなく取付けることができ、作業性がよくなる。
【図面の簡単な説明】
【００１９】
【図１】実施形態を示す斜視図である。
【図２】分解斜視図である。
【図３】分解斜視図である。
【図４】取付部材の斜視図である。
【図５】風抜防止部材の斜視図である。
【図６】ファンの吸気口を示す正面図である。
【図７】ファンの排気口を示す正面図である。
【図８】排気側の構造を示す断面図である。
【図９】吸気側の構造を示す断面図である。
【発明を実施するための形態】
【００２０】
以下に本発明の好ましい実施形態を示す。
図１は本発明の実施形態を示す斜視図、図２と図３はその分解図である。これらの図において、１は電気機器収納用キャビネットの壁面であり、一部のみが矩形に切り取られた状態で図示されている。この壁面はキャビネットの側板であっても、扉であっても、背面板であってもよい。
【００２１】
２はキャビネットに形成された円形の換気口である。図８に示されるように、換気口２にはキャビネットの外側からルーバ３が取付けられる。ルーバ３は合成樹脂製であり、ルーバ本体の背面には換気口２に挿入される筒状部４が一体成形されている。この筒状部４の外周面にはオネジ５が形成されており、図２、図３に示すようにキャビネットの内側からこのオネジ５にナット状のルーバ取付部材６を螺合させ、ルーバ３を固定している。また、換気口２の内周上とオネジ５の外周上には直線状に切り欠いた直線部２３をそれぞれ対応して形成しており、直線部２３がそれぞれ当接することでルーバ３がキャビネットに対して回転しない構造となっている。
【００２２】
上記の構造は従来と同様であるが、この実施形態ではキャビネットの壁面１とルーバ取付部材６との間に取付部材７を介在させ、この取付部材７にファン８と風抜防止部材９とを取付けている。
【００２３】
図４に示すように取付部材７は長方形の平板であり、その中央に筒状部４を通すことができる孔１０を備えている。また一方の対角位置のみに、ファン取付部１２が折曲形成されている。このファン取付部１２はネジ孔１１を備えたネジ止め用座部であり、ネジ止め用座部は取付部材７の平板部２１よりもキャビネットの内側位置に略コ字状に形成して平板部２１とネジ止め面２２の間に空間を形成している。また取付けた状態において、このネジ止め面２２はルーバ取付部材６の厚さよりもキャビネットの壁面１からキャビネット内側の位置に形成してあり、ルーバ取付部材６との干渉をなくしている。また取付部材７の平板部２１を貫通させることなく、ファン８と風抜防止部材９とを取付けることができる。なお、オネジ５の外周状に形成した直線部２３と対応して、孔１０の内周上にも直線部２３を形成しておけばファン取付部材がキャビネットやルーバ３に対する回転を防止することができる。
【００２４】
ファン８は従来と同様のものであり、前記したようにファン８の通風路は排気側に向かって拡大されている。このため、吸気口１３は図６のように円形であるが、排気口１４は図７に示すように、吸気口１３よりもサイズが大きい８角形となっている。
【００２５】
風抜防止部材９は図５に示すような浅い箱状体であり、その中央部にファン８の排気口１４の開口以上の大きさに通気口１５が形成されている。またその周縁部１６は取付部材７のファン取付部１２の外側に嵌め込むことができるように折り曲げられている。折り曲げ深さはファン取付部１２の突出量とほぼ等しくし、取付状態において風抜防止部材９の周縁部１６の先端が、換気口２の周囲の全周にわたってキャビネットの壁面１に当接するようにしておく。これにより、風抜防止部材９によってキャビネット内に位置する換気装置全体を覆うことができるので、ファン８からの排気がキャビネット内部に漏れることを完全の防止することができ、しかも風抜防止部材９を簡易な構造とすることができる。
【００２６】
風抜防止部材９は、風抜防止部材９とファン８を取付部材７に同時に取付けるための貫通孔１７を一方の対角位置に形成し、ファン８を風抜防止部材９に取付けるネジ孔１８を他方の対角位置に形成したものである。このため、先ずファン８を風抜防止部材９にネジ１９によって固定したうえ、ネジ２０によって風抜防止部材９をファン８とともに取付部材７のファン取付部１２に固定することができるので、施工性がよい。またファン８は四隅をネジ１９，２０により固定されるので、がたつくことがない。なお、取付部材７の一方の対角にのみファン取付部１２を形成してあるので、ルーバ取付部材６を手で回して締め付ける際にファン取付部１２が邪魔になることがない。また、風抜防止部材を取付部材７と同様に長方形に形成して、共に嵌め合せる構造としたので、風抜防止部材の向きを間違えることなく取付けることができ、作業性がよくなる。
【００２７】
図８は上記のようにして固定された後の排気側の断面図である。図８に示されるように、ファン８の排気口１４は吸気口１３よりも拡大されているが、ファン８は風抜防止部材９の通気口１５の周囲に当接している。また風抜防止部材９の周縁部１６の先端はキャビネットの壁面１に当接しているので、ファン８からの排気がキャビネット内部に漏れることがない。なお、吸気側では図９に示すようにファン８は向きを変えて風抜防止部材９に取付けられるが、この場合にもファン８は風抜防止部材９の通気口１５の周囲に当接しており、支障はない。
【００２８】
以上に説明したように、本発明の電気機器収納箱用換気装置は、ルーバ取付部材の締付作業を容易に行うことができ、またルーバが取付られた換気口の内側にファン８を施工性よく取付けることができる利点がある。
【符号の説明】
【００２９】
１  キャビネットの壁面
２  換気口
３  ルーバ
４  筒状部
５  オネジ
６  ルーバ取付部材
７  取付部材
８  ファン
９  風抜防止部材
１０  孔
１１  ネジ孔
１２  ファン取付部
１３  吸気口
１４  排気口
１５  通気口
１６  周縁部
１７  貫通孔
１８  ネジ孔
１９  ネジ
２０  ネジ
２１  平板部
２２  ねじ止め面
２３  直線部
【図１】
2015222749.tif 000003
【図２】
2015222749.tif 000004
【図３】
2015222749.tif 000005
【図４】
2015222749.tif 000006
【図５】
2015222749.tif 000007
【図６】
2015222749.tif 000008
【図７】
2015222749.tif 000009
【図８】
2015222749.tif 000010
【図９】
2015222749.tif 000011